(57)【要約】【課題】ラックの搬出入作業を容易にすること。【解決手段】本願にかかるラックシステムは、横方向に平行に設置される複数のガイドレール６０ａと、縦方向に平行に配置される複数のガイドレール６０ｂとを備えた床面５０を有する。また、ラックシステムは、情報機器を収容され、ガイドレール６０ａ上またはガイドレール６０ｂ上を移動する最低５つの車輪１０１、１０３、１０５、１０７、１０９を複数備えたサーバラック１００を有する。【選択図】図１
2013149905.tif 000002
【特許請求の範囲】
【請求項１】
第１の方向に平行に設置される複数の第１ガイドレールと、前記第１ガイドレールと交差し第２の方向に平行に設置される複数の第２ガイドレールとを備えた床面と、
情報機器が収容され、前記第１ガイドレール上および前記第２ガイドレール上を移動する少なくとも４つの第１車輪と、少なくとも１つの第２車輪とが設置されたラックとを有し、
前記ラックに設置された各第１車輪の間隔は、前記第１ガイドレールと前記第２ガイドレールとがそれぞれ交差する各交差位置の間隔に対応し、前記ラックに設置された前記第２車輪の位置は、前記第１の方向に並んだ第１車輪の各中点を通る直線と、前記第２の方向に並んだ第１車輪の各中点を通る直線とが交差する位置に対応する
ことを特徴とするラックシステム。
【請求項２】
前記床面は、前記第１ガイドレールと前記第２ガイドレールとの各交差位置を通る第３ガイドレールを更に有し、前記ラックに設置される各第１車輪および第２車輪は、前記第１ガイドレール上、前記第２ガイドレール上または前記第３ガイドレール上を移動することを特徴とする請求項１に記載のラックシステム。
【請求項３】
前記床面に複数の前記ラックが前記第１の方向または前記第２の方向に沿って隣接して配置され、前記ラックは、前記第１の方向に移動された後に前記第２の方向に移動される、または、前記第２の方向に移動された後に前記第１の方向に移動されることを特徴とする請求項１または２に記載のラックシステム。
【請求項４】
前記床面は、振動吸収材を有していることを特徴とする請求項１、２または３に記載のラックシステム。
【請求項５】
前記床面と、前記ラックとを固定する固定具を更に有することを特徴とする請求項１〜４のいずれか一つに記載のラックシステム。
【請求項６】
前記ラックは、水準器を更に有することを特徴とする請求項１〜５のいずれか一つに記載のラックシステム。
【発明の詳細な説明】
【技術分野】
【０００１】
本発明は、ラックシステムに関する。
【背景技術】
【０００２】
従来のコンテナ型データセンタの一例について説明する。以下の説明では、コンテナ型データセンタをコンテナと表記する。図９は、従来のコンテナの一例を説明するための図である。図９に示すように、コンテナ１０には、開閉可能な扉１０ａが設置されており、コンテナ１０内部にはサーバ等の情報機器（ＩＴ機器）を収納した複数のサーバラック１が配置されている。コンテナ１０は、トレーラなどによって顧客先まで運搬され、所定の場所に設置される。
【０００３】
ここで、作業者がコンテナ１０を構築する場合の一例について説明する。一般的に、作業者は、サーバラック１に情報機器を収納する作業をコンテナ１０内部で行わず、自社工場内で行う。例えば、作業者は、自社工場内でサーバラック１に情報機器を収納し、情報機器とネットワーク機器との結線作業を行った後に、サーバラック１をコンテナ１０に積み込む。なお、従来技術には、レール上を移動させるためのキャスターをラックに取り付け、レール上でラックを移動させる構成をとることで、ラックの移動を容易にする技術が開示されている。
【先行技術文献】
【特許文献】
【０００４】
【特許文献１】特開平１１−２２５８３５号公報
【発明の概要】
【発明が解決しようとする課題】
【０００５】
しかしながら、上述した従来技術では、ラックの搬出入作業における作業者の負担が大きいという問題があった。
【０００６】
情報機器を収納したサーバラック１の搭載重量は、約１０００ｋｇになる場合がある。これに対して、従来技術に開示されているキャスター付きのラックは、搭載重量が約１０００ｋｇなるものをキャスターで移動することを想定しておらず、搭載重量を支えるだけの強度が十分ではない。このため、従来技術に開示されているキャスター付きラックをそのまま利用すると、搬出入作業中に、ラックのキャスターが破損する恐れがある。このため、従来技術のキャスター付きラックを利用することは難しく、許容搭載重量に余裕のあるキャスター無しのラックを利用することになり、ラックの移動作業に手間を要していた。
【０００７】
更に、コンテナ１０の内部は非常に狭いため、サーバラック１内部の温度上昇による情報機器の故障を防止すべく、コンテナ１０内の空気の流れや、温度などを考慮して、予め決められた場所に正確に各サーバラック１を設置することになる。しかし、コンテナ１０のような狭い空間で、作業者が重いサーバラック１を正確に配置する作業は非常に負担が大きいものとなる。また、仮に、上記従来技術を利用したとしても、従来技術のレールでは、サーバラック１の移動方向が制限され、複数のサーバラック１をコンテナ１０に効率よく配置することができない。
【０００８】
開示の技術は、上記に鑑みてなされたものであって、ラックの搬出入作業を容易にすることができるラックシステムを提供することを目的とする。
【課題を解決するための手段】
【０００９】
開示のラックシステムは、床面とラックとを有する。床面は、第１の方向に平行に設置される複数の第１ガイドレールと、第１ガイドレールと交差し第２の方向に平行に設置される複数の第２ガイドレールとを備える。ラックは、情報機器を収容し、第１ガイドレール上および第２ガイドレール上を移動する少なくとも４つの第１車輪と、少なくとも１つの第２車輪とを設置する。また、各第１車輪の間隔は、第１ガイドレールと第２ガイドレールとがそれぞれ交差する各交差位置の間隔に対応する。第２車輪の位置は、第１の方向に並んだ第１車輪の各中点を通る直線と、第２の方向に並んだ第１車輪の各中点を通る直線とが交差する位置に対応する。
【発明の効果】
【００１０】
開示のラックシステムによれば、ラックの搬出入作業を容易にすることができるという効果を奏する。
【図面の簡単な説明】
【００１１】
【図１】図１は、本実施例に係るラックシステムの一例を示す図である。
【図２】図２は、サーバラックの各車輪とガイドレールとの関係を説明するための図である。
【図３】図３は、サーバラックおよび床面を側面から見た場合の図（１）である。
【図４】図４は、サーバラックおよび床面を側面から見た場合の図（２）である。
【図５】図５は、各サーバラックおよび床面を上から見た場合の図である。
【図６】図６は、コンテナ内に設置されたサーバラックを移動させる場合の一例を示す図である。
【図７】図７は、床面に設置されるその他のガイドレールの一例を示す図（１）である。
【図８】図８は、床面に設置されるその他のガイドレールの一例を示す図（２）である。
【図９】図９は、従来のコンテナの一例を説明するための図である。
【発明を実施するための形態】
【００１２】
以下に、本願の開示するラックシステムの実施例を図面に基づいて詳細に説明する。なお、この実施例によりこの発明が限定されるものではない。
【実施例】
【００１３】
本実施例に係るラックシステムについて説明する。図１は、本実施例に係るラックシステムの一例を示す図である。図１に示すように、このラックシステムは、床面５０と、複数のサーバラック１００ａ〜１００ｌを有する。以下の説明では、サーバラック１００ａ〜１００ｌをまとめて、適宜、サーバラック１００と表記する。サーバラック１００は、ラックの一例である。
【００１４】
図１に示すラックシステムは、例えば、コンテナ内や、サーバルーム内、各種建物内に設置することが可能である。ラックシステムに含まれるサーバラック１００の個数は、任意の個数でよい。本実施例では一例として、ラックシステムは、コンテナ内に設置されているものとする。
【００１５】
床面５０は、ガイドレール６０を有している。ガイドレール６０は、横方向に平行に設置される複数のガイドレールと、縦方向に平行に設置される複数のガイドレールとを備え、各ガイドレールはそれぞれ交差している。
【００１６】
サーバラック１００は、サーバやネットワーク機器などの情報機器を収納するラックである。サーバラック１００は、床面５０のガイドレール６０上を移動する車輪を複数備える。サーバラック１００の各車輪の間隔は、横方向のガイドレールと縦方向のガイドレールとの各交差位置の間隔に対応する。
【００１７】
サーバラック１００の各車輪とガイドレール６０との関係について説明する。図２は、サーバラックの各車輪とガイドレールとの関係を説明するための図である。図２に示すように、床面５０には、横方向に平行に設置される複数のガイドレール６０ａと、縦方向に平行に設置される複数のガイドレール６０ｂを備える。ガイドレール６０ａおよびガイドレール６０ｂは交差する。図１に示したガイドレール６０は、図２のガイドレール６０ａおよびガイドレール６０ｂに対応する。適宜、ガイドレール６０ａと６０ｂをまとめてガイドレール６０と表記する。ここでは説明の便宜上、ガイドレール６０ａとガイドレール６０ｂとが交差する交差位置を６１〜６９とする。その他の交差位置に対する符号は省略する。
【００１８】
図２に示すように、サーバラック１００は、複数の車輪１０１〜１０９を有する。ここでは、９個の車輪１０１〜１０９を示すが、車輪の個数は任意に変更可能である。例えば、サーバラック１００は、少なくとも四隅の車輪１０１、１０３、１０７、１０９および少なくとも中央の車輪１０５を最低限備えていればよい。
【００１９】
中央の車輪１０５の位置は、車輪１０１と車輪１０７との中点および車輪１０３と車輪１０９との中点を通る直線と、車輪１０１と車輪１０３との中点および車輪１０７と車輪１０９との中点を通る直線とが交差する位置に対応する。
【００２０】
続いて、各車輪１０１〜１０９の横方向の各間隔について説明する。車輪１０１と車輪１０２との間隔は、交差位置６１と交差位置６２との間隔に対応する。車輪１０２と車輪１０３との間隔は、交差位置６２と交差位置６３との間隔に対応する。
【００２１】
車輪１０４と車輪１０５との間隔は、交差位置６４と交差位置６５との間隔に対応する。車輪１０５と車輪１０６との間隔は、交差位置６５と交差位置６６との間隔に対応する。車輪１０７と車輪１０８との間隔は、交差位置６７と交差位置６８との間隔に対応する。車輪１９８と車輪１０９との間隔は、交差位置６８と交差位置６９との間隔に対応する。
【００２２】
各車輪１０１〜１０９の縦方向の各間隔について説明する。車輪１０１と車輪１０４との間隔は、交差位置６１と交差位置６４との間隔に対応する。車輪１０４と車輪１０７との間隔は、交差位置６４と交差位置６７との間隔に対応する。
【００２３】
車輪１０２と車輪１０５との間隔は、交差位置６２と交差位置６５との間隔に対応する。車輪１０５と車輪１０８との間隔は、交差位置６５と交差位置６８との間隔に対応する。車輪１０３と車輪１０６との間隔は、交差位置６３と交差位置６６との間隔に対応する。車輪１０６と車輪１０９との間隔は、交差位置６６と交差位置６９との間隔に対応する。
【００２４】
図２に示すガイドレール６０ａ、６０ｂと、サーバラック１００の各車輪１０１〜１０９との組み合わせにより、作業者は、サーバラック１００を容易に上下左右に移動させることができる。なお、図２に示したガイドレール６０ａ、６０ｂは、車輪が移動可能であれば、どのような構造であっても良い。例えば、ガイドレール６０ａ、６０ｂは、溝状のレールであっても良いし、凸型のレールであっても良い。
【００２５】
次に、サーバラック１００と床面５０とを側面から見た場合について説明する。図３は、サーバラックおよび床面を側面から見た場合の図（１）である。図３に示す例では、溝状のガイドレール６０を示している。サーバラック１００の各車輪１０１〜１０９は、溝状のガイドレール６０上を移動する。
【００２６】
図３に示すように、床面５０には、サーバラック１００の移動時に発生する振動を吸収する振動吸収材５０ａを有している。また、床面５０には、水準器７０が設置されている。水準器７０は、サーバラック１００上に設置しても良い。
【００２７】
また、作業者は、サーバラック１００の移動を終えた後に、着脱可能な固定具１１０を用いて、サーバラック１００と、床面５０とを固定する。例えば、作業者は、固定具１１０とサーバラック１００の車輪部分とを結合すると共に、留め具１１０ａを用いて固定具１１０と床面５０とを固定することで、サーバラック１００と、床面５０とを固定する。
【００２８】
図４は、サーバラックおよび床面を側面から見た場合の図（２）である。図４に示す図では、凸型のガイドレール６０を示している。サーバラック１００の各車輪１０１〜１０９は、凸型のガイドレール６０上を移動する。図４に示す振動吸収材５０ａ、水準器７０は、図３に示したものと同様である。また、固定具１１０、留め具１１０ａも、図３に示したものと同様である。
【００２９】
次に、各サーバラック１００および床面５０を上から見た場合について説明する。図５は、各サーバラックおよび床面を上から見た場合の図である。図５に示す例では、サーバラック１００ｄ、１００ｅ、１００ｆ、１００ｊ、１００ｋ、１００ｌがそれぞれ配置されている。例えば、作業者がサーバラック１００ｅを搬出する場合について説明する。作業者は、手前にサーバラック１００ｅを引き出し、例えば右方向にサーバラック１００ｅを移動させる。サーバラック１００ｅは、平行に設置されるガードレール６０ａ、６０ｂ上に沿って移動するため、サーバラック１００ｅの左右に設置されたサーバラック１００ｄ、１００ｆに衝突すること無く、容易にサーバラック１００ｅを搬出することができる。
【００３０】
続いて、コンテナ内に設置されたサーバラック１００を移動させる場合の一例について説明する。図６は、コンテナ内に設置されたサーバラックを移動させる場合の一例を示す図である。図６に示す例では、コンテナ１０内に、サーバラック１００ｃ〜１００ｆ、１００ｉ〜１００ｌと、床面５０が設置されており、床面５０には、ガイドレール６０が設置されている。
【００３１】
図６では、サーバラック１００ｄ、１００ｅを移動させる場合について説明する。作業者は、サーバラック１００ｄ、１００ｅを、手前に引き出す（ステップＳ１０１）。作業者は、手前に引き出したサーバラック１００ｄ、１００ｅを、コンテナ１０の扉１０ａ方向に押し（ステップＳ１０２）、サーバラック１００ｄ、１００ｅを扉１０ａの近辺まで移動させる（ステップＳ１０３）。そして、作業者は、サーバラック１００ｄ、１００ｅを扉１０ａからコンテナ１０の外へ搬出する（ステップＳ１０４）。なお、サーバラックをコンテナ１０に搬入する場合には、図６に示した手順の逆の手順を実行することで、サーバラック１００ｃおよびサーバラック１００ｆの間に、他のサーバラックを設置することができる。
【００３２】
次に、本実施例に係るラックシステムの効果について説明する。ラックシステムは、横方向に平行に設置される複数のガイドレール６０ａと、縦方向に平行に配置される複数のガイドレール６０ｂとを備えた床面５０と、情報機器を収容され、ガイドレール６０ａ上またはガイドレール６０ｂ上を移動する最低５つの車輪１０１、１０３、１０５、１０７、１０９を複数備えたサーバラック１００とを有する。このように、最低５つの車輪を有しているので、例えば、サーバラック１００の搭載重量が１０００ｋｇとなった場合でも、各車輪で係る重量を十分に支えることができ、更に、ガイドレール６０による移動も可能になるため、ラックの搬出入作業における作業者の負担を軽減させることができる。
【００３３】
また、本実施例に係るラックシステムは、複数のサーバラック１００ａ〜１００ｌが、横方向および縦方向に沿って隣接して配置されており、例えば、ラック１００ｃを移動させる場合には、縦方向に引き出した後に、横方向に移動させることで搬出可能である。各ガイドレール６０は平行に設置されているため、各サーバラック１００が衝突してしまうことを未然に防止することができる。なお、図示は省略するが、サーバラック１００ａ〜１００ｌの配置に応じて、サーバラック１００を、横方向に移動させた後、縦方向に移動させて、コンテナ内部からサーバラック１００を搬出しても良い。
【００３４】
また、本実施例に係るラックシステムは、床面５０に振動吸収材５０ａを有しているので、作業者がサーバラック１００を移動させる場合の振動を抑えることができ、サーバラック１００内の情報機器に悪影響を与えることを防止することができる。
【００３５】
また、本実施例に係るラックシステムでは、着脱可能な固定具１１０および留め具１１０ａを用いて、床面５０とサーバラック１００とを固定することができるので、サーバラック１００を設置後にサーバラック１００が移動することや、倒れることを防止することができる。
【００３６】
また、本実施例に係るラックシステムでは、サーバラック１００上または床面５０上に水準器７０を設置しているので、サーバラック１００が傾いた状態であるか否かを作業者が容易に確認することができる。
【００３７】
ところで、上記のラックシステムの構成は一例である。以下において、ラックシステムのその他の構成について説明する。例えば、床面５０に設置されるガイドレール６０は、図２に示したものに限られるものではない。床面５０に設置されるガイドレールは、図７または図８に示すものであっても良い。図７および図８は、床面に設置されるその他のガイドレールの一例を示す図である。
【００３８】
図７について説明する。図７に示す床面５１は、横方向の複数のガイドレール６０ａと縦方向の複数のガイドレール６０ｂの他に、斜め方向の複数のガイドレール６０ｃを備えている。ガイドレール６０ｃは、ガイドレール６０ａとガイドレール６０ｂとの各交点位置を通る。また、サーバラック１００の各車輪は、ガイドレール６０ａ上、ガイドレール６０ｂ上、ガイドレール６０ｃ上を移動する。このため、作業者がサーバラック１００を移動させる場合の移動方向の自由度が増し、作業効率が向上する。
【００３９】
図８について説明する。図８に示す床面５２は、横方向のガイドレール６０ａおよび縦方向のガイドレール６０ｂによって形成される矩形が、横長となっている。ラックシステムを構成する場合に、ラックシステムを設置する場所に応じて、図８に示すように横長としても良いし、図２に示したように正方形としても良い。
【００４０】
また、サーバラック１００に設置する複数の車輪１０１〜１０９を着脱可能にしても良い。例えば、車輪１０１〜１０９を備えた台を、車輪を有さないサーバラックの底面に取り付けるようにしても良い。また、車輪の数は、上記の実施例と同様にして、最低５つあれば良い。
【符号の説明】
【００４１】
１、１００  サーバラック
１０    コンテナ
１０ａ  扉
５０、５１、５２    床面
５０ａ  振動吸収材
６０、６０ａ、６０ｂ、６０ｃ  ガイドレール
７０  水準器
【図１】
2013149905.tif 000003
【図２】
2013149905.tif 000004
【図３】
2013149905.tif 000005
【図４】
2013149905.tif 000006
【図５】
2013149905.tif 000007
【図６】
2013149905.tif 000008
【図７】
2013149905.tif 000009
【図８】
2013149905.tif 000010
【図９】
2013149905.tif 000011